(57)【要約】【課題】簡単な構造でカバー体の取り付け作業も容易であるキャビネット１のカバー体３引っ掛け構造を提供することを目的としている。【解決手段】カバー体３を開閉するハンドルの回動動作に連動し回転する引っ掛け金具が背面板に設けられた切欠き１３に係止されることでカバー体３を背面板２に固着させ、背面板２に設けられた切欠き１３は、水平面に設けられると共に、導入部１３ａが係止部１３ｂより狭く略凸字状に形成されることを特徴とする。【選択図】図２
2010283068.tif 000002
【特許請求の範囲】
【請求項１】
機器を平板状の背面板に載置し、箱状のカバー体で前記背面板の前面を被覆して成るキャビネットのカバー体引っ掛け構造であって、前記カバー体を開閉するハンドルの回動動作に連動し回転する引っ掛け金具が前記背面板に設けられた切欠きに係止されることで前記カバー体を前記背面板に固着させ、該背面板に設けられた切欠きは、水平面に設けられると共に、導入部が係止部より狭く略凸字状に形成されることを特徴とするキャビネットのカバー引っ掛け構造。
【請求項２】
前記キャビネットのカバー体引っ掛け構造であって、前記引っ掛け金具は略中央を回転の中心とし、前記引っ掛け金具の回転のためのガイド部は略弧状とすると共に、前記ハンドルが閉状態のときに前記切欠きに上下方向に係止する係止突起を設けることを特徴とする請求項１に記載のキャビネットのカバー体引っ掛け構造。
【発明の詳細な説明】
【技術分野】
【０００１】
本発明は、機器を平板状の背面板に載置し、箱状のカバー体で前記背面板の前面を被覆して成るキャビネットのカバー体引っ掛け構造に関するものである。
【背景技術】
【０００２】
通信機器や電気機器を収納するキャビネットは、機器類を配置する基台と前面を被覆する扉体とから構成される。本発明に係るキャビネットは、扉体は基台に着脱可能で、扉体の基台に対する係合は、扉体に設けられたハンドルの回動動作によって行われる。このようなキャビネットにおいては、ハンドルの内側には舌片が設けられており、ハンドルの回動動作に連動して舌片も回動し、キャビネットの基台の縁に係止させることで、扉体を基台に閉止する構造であった。
【先行技術文献】
【特許文献】
【０００３】
【特許文献１】特開２００７−４６３６７号公報
【発明の概要】
【発明が解決しようとする課題】
【０００４】
上記従来の方法で、基台に扉体を係止する場合、ハンドルに連動する舌片は、基台の縁に掛かるだけなので、位置も定まらず、基台の正面に扉体を閉止させるには、細かい位置合わせが必要で、作業が煩雑になっていた。
【０００５】
または、舌片を定位置に係止させるためには、位置決め用の金具を設けたりする必要があり、製造コストを引き上げる要因の一つになっていた。
【０００６】
従来のハンドル装置では、舌片を基台の内側へ延びた部分に係止させるため、ハンドルレーバと舌片とを回転させるだけのスペースをキャビネット内部に確保する必要があり、収納機器が多数の場合には、機器の取り付けに干渉してしまう虞があった。
【課題を解決するための手段】
【０００７】
そこで本発明は、簡単な構造でカバー体の取り付け作業も容易であるキャビネットのカバー体引っ掛け構造を提供することを目的とし、その構造は、カバー体を開閉するハンドルの回動動作に連動し回転する引っ掛け金具が背面板に設けられた切欠きに係止されることでカバー体を背面板に固着させ、背面板に設けられた切欠きは、水平面に設けられると共に、導入部が係止部より狭く略凸字状に形成されることを特徴とする。
【０００８】
また、引っ掛け金具は略中央を回転の中心とし、引っ掛け金具の回転のためのガイド部は略弧状とすると共に、ハンドルが閉状態のときに切欠きに上下方向に係止する係止突起を設けることを特徴とする。
【発明の効果】
【０００９】
本発明に係るキャビネットのカバー体引っ掛け構造は、カバー体を開閉するハンドルの回動動作に連動し回転する引っ掛け金具が背面板に設けられた切欠きに係止されることでカバー体を背面板に固着させ、背面板に設けられた切欠きは、水平面に設けられると共に、導入部が係止部より狭く略凸字状に形成されるため、引っ掛け金具に背面板への引っ掛け位置が一定であり、カバー体の背面板の取り付け位置への位置決めも同時にでき、容易に取り付けることができる。また、略凸字状に形成された切欠きにより、カバー体が背面板に対して前後上下だけでなく左右方向への移動も規制することができるようになり、安定してカバー体を背面板に閉止することができる。引っ掛け金具は背面板の縁部分に奥行き方向で係止されるため、ハンドルをカバー体の最上部に取り付けが可能となり、キャビネットの機器を配置することのできるスペースが増え、限られたスペースを有効に活用可能となる。
【００１０】
また、引っ掛け金具は略中央を回転の中心とし、引っ掛け金具の回転のためのガイド部は略弧状とすると共に、ハンドルが閉状態のときに切欠きに上下方向に係止する係止突起を設けるため、ハンドルを回転させたときに引っ掛け金具も滑らかに動作する。また、係止突起が切欠きに上下それぞれから係止するので、確実にカバー体を背面板に閉止することができる。引っ掛け金具は背面板の縁部分に奥行き方向で係止されるため、ハンドルをカバー体の最上部に取り付けが可能となり、キャビネットの機器を配置することのできるスペースが増え、限られたスペースを有効に活用可能となる。
【図面の簡単な説明】
【００１１】
【図１】背面板にカバー体を閉止した状態の本発明に係るキャビネットを示す説明図である。
【図２】図１におけるカバー体を外した状態のキャビネットを示す説明図である。
【図３】図２における背面側から見た状態を示す説明図である。
【図４】ハンドル部分の側面断面図である。
【図５】ハンドル部分の開状態と閉状態を示す一部透視図である。
【発明を実施するための形態】
【００１２】
本発明に係るキャビネットのカバー体引っ掛け構造の実施例を図１〜図５の添付図面に基いて説明する。
【００１３】
キャビネット１は平板状の背面板２の前面を、箱状のカバー体３で施蓋して構成される。カバー体３には回動動作するハンドル４が取り付けられる。前面側にはハンドルレバー５が設けられており、カバー体３の内側にはスペーサ６を介して引っ掛け金具７が設けられている。カバー体３が深く、カバー体３に設けられたハンドル４の動作に引っ掛け金具７を連動させるためにスペーサ６が取り付けられる。カバー体３の背面板２に対向する部分には、カバー体３を背面板２に係止するための爪８が形成されている。
【００１４】
図１〜図３に示すキャビネット１において、背面板２は、背面部内側には機器を配置するための機器取り付け板９が取り付けられている。また、背面板２の上下面には、配線口１０を設けたりすることもある。背面板２周縁部には水や塵埃の侵入を防ぐべく枠部１１が折曲形成され、枠部１１にはカバー体３にも形成された爪８に対向する係止部１２が形成されている。背面板２には、水平面に、カバー体３に設けられた引っ掛け金具７に対向する位置に、切欠き１３を設けている。
【００１５】
切欠き１３は前面側が狭く背面側が広い略凸字状に形成する。前面側の狭い部分はカバー体３に設けられた引っ掛け金具７の導入部１３ａで、背面側の広い部分は引っ掛け金具７の係止部１３ｂとする。
【００１６】
カバー体３の背面板２への取り付け動作を図２に基いて説明する。ハンドル４がキャビネット１の上側に設けられている場合、カバー体３の下側の爪８を背面板２の下側の係止部１２に引っ掛け、仮に位置決めをしながら、ハンドル４は開状態でカバー体３を閉じる。カバー体３の引っ掛け金具７は、ハンドル動作に連動して開状態で切欠き１３の導入部１３ａを通り、係止部１３ｂへと入る。ハンドル４を回転させることで切欠き１３の係止部１３ｂに係止され、カバー体３は背面板２に閉止される。
【００１７】
引っ掛け金具７は切欠１３きの範囲内で回転し、切欠き１３が略凸字状に形成されているので、キャビネット１を正面に見て、引っ掛け金具７の左右方向と前後方向の動きを規制する。カバー体３を背面板２に閉止する際、簡単な構造でありながら背面板２に対してカバー体３を正面に取り付けることが容易にできる。
【００１８】
次に、カバー体３に取り付けられる引っ掛け金具７について説明する。引っ掛け金具７は、ほぼ中央を回転の中心に配置し、ハンドル４にスペーサ６を介して取り付けられている。カバー体３を閉じた状態で、背面板２に設けられた切欠き１３に係止するようにスペーサ６の長さを調節する。引っ掛け金具７は略楕円状の金具を基に、端部に、切欠き１３に対して上下それぞれから係止可能となるような係止突起１４，１４を形成している。また一方の係止突起１４から他方の係止突起１４への弧の部分は、回転させたときに、切欠き１３に沿って、引っ掛け金具７を回転させるガイド部１５である。
【００１９】
ハンドル４を開状態の位置に回転させたときに、引っ掛け金具７は上下に長軸となる方向であり、その状態で切欠き１３の導入部１３ａを通る。そして、ハンドル４を閉状態に回転させると、ガイド部１５は切欠き１３端部に沿って引っ掛け金具７が円滑に回転する。ハンドル４を閉状態にしたときに、引っ掛け金具７は上下に短軸となる方向となり、切欠き１３に対して上下それぞれから係止突起１４が係止し、カバー体３が背面板２に閉止する。
【００２０】
引っ掛け金具７に係止突起１４が形成されているので、キャビネット１を正面に見て、引っ掛け金具７の上下方向の動きも規制するものである。カバー体３を背面板２に閉止する際、簡単な構造でありながら背面板２に対してカバー体３を正面に取り付けることが容易にできる。
【符号の説明】
【００２１】
１      キャビネット
２      背面板
３      カバー体
４      ハンドル
５      ハンドルレバー
６      スペーサ
７      引っ掛け金具
８      爪
９      機器取り付け板
１０    配線口
１１    枠部
１２    係止部
１３    切欠き
１３ａ  導入部
１３ｂ  係止部
１４    係止突起
１５    ガイド部
【図１】
2010283068.tif 000003
【図２】
2010283068.tif 000004
【図３】
2010283068.tif 000005
【図４】
2010283068.tif 000006
【図５】
2010283068.tif 000007